(57)【要約】【課題】窓開口部から反射光を採り込みつつ、窓開口部からの視界性を向上させることができる縦ルーバーを提供する。【解決手段】縦ルーバー１は、外側羽板２０と、外側羽板２０よりも建物Ｂ側に配置される内側羽板３０と、を備える。外側羽板２０と内側羽板３０は、建物Ｂの内外方向と直交する方向に所定間隔オフセットして配置される。外側羽板２０の内側羽板３０と対面する側には、第１凹面部２３が形成される。内側羽板３０の外側羽板２０と対面する側には、第２凹面部３３が形成される。外側羽板２０と内側羽板３０は、異なる配置角度に設定される。【選択図】図２
2013167151.tif 000002
【特許請求の範囲】
【請求項１】
建物に形成される窓開口部に室外側から取り付けられる縦ルーバーであって、
外側羽板と、
前記外側羽板よりも前記建物側に配置される内側羽板と、を備え、
前記外側羽板と前記内側羽板は、前記建物の内外方向と直交する方向に所定間隔オフセットして配置され、
前記外側羽板の前記内側羽板と対面する側には、第１凹面部が形成され、
前記内側羽板の前記外側羽板と対面する側には、第２凹面部が形成され、
前記外側羽板と前記内側羽板は、異なる配置角度に設定されていることを特徴とする縦ルーバー。
【請求項２】
前記第２凹面部は、太陽光を前記第１凹面部に向かって反射させ、
前記第１凹面部は、前記第２凹面部によって反射された前記太陽光を前記窓開口部に向かって反射させることを特徴とする請求項１に記載の縦ルーバー。
【請求項３】
前記第１凹面部及び前記第２凹面部は、拡散反射面で構成されていることを特徴とする請求項１又は請求項２に記載の縦ルーバー。
【請求項４】
前記外側羽板及び前記内側羽板は、鉛直軸周りに回転可能であることを特徴とする請求項１乃至請求項３のいずれか一項に記載の縦ルーバー。
【請求項５】
前記外側羽板及び前記内側羽板を鉛直軸周りに回転させる回転手段をさらに備え、
前記回転手段は、前記外側羽板及び前記内側羽板を位相差を保ちながら同期して回転させることを特徴とする請求項４に記載の縦ルーバー。
【請求項６】
前記外側羽板が前記窓開口部に対し平行に配置された状態で、前記外側羽板及び前記内側羽板の水平方向一端同士は、前記建物の内外方向で重なることを特徴とする請求項４又は請求項５に記載の縦ルーバー。
【請求項７】
前記外側羽板の中心を挟んで前記第１凹面部と反対側の面には、太陽光発電素子が設置されていることを特徴とする請求項１乃至請求項６のいずれか一項に記載の縦ルーバー。
【発明の詳細な説明】
【技術分野】
【０００１】
本発明は、建物に形成される窓開口部に取り付けられる縦ルーバーに関するものである。
【背景技術】
【０００２】
従来、建物に形成される窓開口部の室外側に取り付けられ、窓開口部からの視界性を確保しつつ、窓開口部の遮光や目隠しを行える縦ルーバーが知られている。
【０００３】
例えば、特許文献１には、複数の外側羽板とこの外側羽板よりも建物側に配置される複数の内側羽板とを備え、外側羽板と内側羽板が建物の内外方向と直交する方向に所定間隔オフセットして配置され、外側羽板の内面と内側羽板の外面に凹面部をそれぞれ形成した縦ルーバーが開示されている。
【先行技術文献】
【特許文献】
【０００４】
【特許文献１】特開２００５−３０８９７６号公報
【発明の概要】
【発明が解決しようとする課題】
【０００５】
しかしながら、従来の縦ルーバーでは、外側羽板及び内側羽板が窓開口部に対し平行に配置されているので、太陽光が隣り合う外側羽板の間に形成された隙間を通って内側羽板の凹面部に当たった後、前記隙間に戻るように反射してしまう。そのため、窓開口部から室内へ反射光を採り込めず、適度な明るさを確保することが困難であった。
【０００６】
また、従来の縦ルーバーでは、外側羽板及び内側羽板が窓開口部に対し平行に配置されているので、建物の内外方向における外側羽板と内側羽板との間隔が小さくなってしまい、窓開口部からの視界性（眺望性）が悪かった。
【０００７】
本発明は、このような観点から創案されたものであり、窓開口部から反射光を採り込みつつ、窓開口部からの視界性を向上させることができる縦ルーバーを提供することを課題とする。
【課題を解決するための手段】
【０００８】
前記課題を解決するため本発明は、建物に形成される窓開口部に室外側から取り付けられる縦ルーバーであって、外側羽板と、前記外側羽板よりも前記建物側に配置される内側羽板と、を備え、前記外側羽板と前記内側羽板は、前記建物の内外方向と直交する方向に所定間隔オフセットして配置され、前記外側羽板の前記内側羽板と対面する側には、第１凹面部が形成され、前記内側羽板の前記外側羽板と対面する側には、第２凹面部が形成され、前記外側羽板と前記内側羽板は、異なる配置角度に設定されていることを特徴とする。
【０００９】
本発明によれば、外側羽板に対する内側羽板の配置角度を調節することで、内側羽板の第２凹面部に当たった太陽光を外側羽板の第１凹面部に向かって反射させ、第１凹面部に当たった反射光を窓開口部に向かって導くことができる。したがって、窓開口部から室内へ反射光を採り込むことができるので、適度な明るさを確保しつつ、眩しさを軽減できる。
また、本発明によれば、外側羽板を窓開口部に対し平行に配置した場合には、外側羽板に対する内側羽板の配置角度を調節することで（つまり内側羽板の外側羽板寄りの端部が窓開口部に近付くように傾斜させることで）、建物の内外方向における外側羽板と内側羽板との間隔を従来よりも大きくして、窓開口部からの視界性を向上させることができる。
【００１０】
また、前記第２凹面部は、太陽光を前記第１凹面部に向かって反射させ、前記第１凹面部は、前記第２凹面部によって反射された前記太陽光を前記窓開口部に向かって反射させる構成とするのが好ましい。
【００１１】
かかる構成によれば、窓開口部から室内へ反射光を採り込むことができるので、適度な明るさを確保しつつ、眩しさを軽減できる。
【００１２】
また、前記第１凹面部及び前記第２凹面部は、拡散反射面で構成されているようにするのが好ましい。
【００１３】
かかる構成によれば、第１凹面部及び第２凹面部は、拡散反射面で構成されているので、第１凹面部及び第２凹面部に当たった太陽光が拡散反射する。これにより、太陽光が窓開口部に向かって均一に広がるため、室内を均一に明るくできるとともに、眩しさを軽減できる。
【００１４】
また、前記外側羽板及び前記内側羽板は、鉛直軸周りに回転可能である構成とするのが好ましい。
【００１５】
かかる構成によれば、外側羽板及び内側羽板は、鉛直軸周りに回転可能であるので、地域、季節、時間帯などに応じて、外側羽板及び内側羽板の配置角度を任意に設定することが可能となり、採光量（遮光量）を調節できる。
【００１６】
また、前記外側羽板及び前記内側羽板を鉛直軸周りに回転させる回転手段をさらに備え、前記回転手段は、前記外側羽板及び前記内側羽板を位相差を保ちながら同期して回転させる構成とするのが好ましい。
【００１７】
かかる構成によれば、回転手段は、外側羽板及び内側羽板を位相差を保ちながら同期して回転させるので、外側羽板及び内側羽板は、異なる配置角度を保持したまま回転することができる。
【００１８】
また、前記外側羽板が前記窓開口部に対し平行に配置された状態で、前記外側羽板及び前記内側羽板の水平方向一端同士は、前記建物の内外方向で重なる構成とするのが好ましい。
【００１９】
かかる構成によれば、外側羽板が窓開口部に対し平行に配置された状態で、外側羽板及び内側羽板の水平方向一端同士は、建物の内外方向で重なるので、内側羽板の水平方向一端が窓開口部に近付くように傾斜させると、内側羽板の水平方向一端に当たった太陽光を外側羽板の第１凹面部に向かって反射させることが可能となり、ひいては、窓開口部から室内へ反射光を採り込むことができる。
【００２０】
また、前記外側羽板の中心を挟んで前記第１凹面部と反対側の面には、太陽光発電素子が設置されている構成とするのが好ましい。
【００２１】
かかる構成によれば、外側羽板の中心を挟んで第１凹面部と反対側の面には、太陽光発電素子が設置されているので、遮光する太陽光を発電用エネルギーとして有効利用できる。
【発明の効果】
【００２２】
本発明によれば、窓開口部から反射光を採り込みつつ、窓開口部からの視界性を向上させることができる縦ルーバーを提供することができる。
【図面の簡単な説明】
【００２３】
【図１】実施形態に係る縦ルーバーを建物の窓開口部に取り付けた状態を示す正面図である。
【図２】図１のＩ−Ｉ線断面図である。
【図３】実施形態に係る外側羽板及び内側羽板を示す平面図である。
【図４】実施形態に係る外側羽板と内側羽板と回転手段とを示す平面図である。
【図５】実施形態に係る縦ルーバーの動作を示す説明図である。
【図６】実施形態に係る縦ルーバーの動作を示す説明図である。
【図７】実施形態に係る縦ルーバーの動作を示す説明図である。
【図８】実施形態に係る縦ルーバーの動作を示す説明図である。
【図９】実施形態に係る縦ルーバーの動作を示す説明図である。
【図１０】実施形態に係る縦ルーバーの動作を示す説明図である。
【図１１】変形例に係る外側羽板及び内側羽板を示す平面図である。
【発明を実施するための形態】
【００２４】
本発明の実施形態について、図面を参照して詳細に説明する。説明において、同一の要素には同一の符号を付し、重複する説明は省略する。なお、以下の説明において、建物の内外方向を「内外方向Ｘ」といい、内外方向Ｘに直交する方向を「直交方向Ｙ」という。
【００２５】
図１は、実施形態に係る縦ルーバーを建物の窓開口部に取り付けた状態を示す正面図である。図２は、図１のＩ−Ｉ線断面図である。
図１及び図２に示すように、本発明の実施形態に係る縦ルーバー１は、建物Ｂに形成された窓開口部Ｂ１に室外側から取り付けられた部材であって、遮光や目隠しなどの機能を有している。縦ルーバー１は、枠１０と、複数の外側羽板２０と、複数の内側羽板３０と、回転手段６０（図４参照）と、を備えている。
【００２６】
＜枠＞
枠１０は、図１に示すように、正面視四角枠状に形成された金属製の部材である。枠１０は、直交方向Ｙに沿って所定間隔を空けて配置された一対の縦枠１１と、一対の縦枠１１の上端同士及び下端同士を繋ぐ一対の横枠１２と、から構成されている。枠１０は、図２に示すように、連結部材５０を介して、建物Ｂの外壁面に固定されている。横枠１２の内部には、外側羽板２０及び内側羽板３０を回転させる回転手段６０（図２、図４参照）が設置されている。回転手段６０については後に詳しく説明する。
【００２７】
＜外側羽板＞
外側羽板２０は、図１に示すように、上下の横枠１２の間に鉛直に配置され、例えばアルミニウム合金などで形成された金属製の部材である。外側羽板２０は、直交方向Ｙに沿って所定間隔を空けて並設されている。外側羽板２０は、図２に示すように、中空四角柱状の外側本体部材２１と、外側本体部材２１の中心に設けられた外側回転軸２２と、を有している。なお、外側羽板２０は、例えば、樹脂製や木製でもよい。
【００２８】
外側本体部材２１の内側羽板３０に対面する側には、円弧状（曲面状）の第１凹面部２３が形成されている。第１凹面部２３は、内側羽板３０から遠ざかる方向に向かって凹状となるように湾曲形成されている。第１凹面部２３には、例えばマット反射板などが取り付けられ、拡散反射面が形成されている。
【００２９】
外側本体部材２１の中心を挟んで第１凹面部２３と反対側には、円弧状の第１凸面部２４が形成されている。第１凸面部２４は、内側羽板３０から遠ざかる方向に向かって凸状となるように湾曲形成されている。第１凸面部２４には、太陽光発電素子４０が取り付けられている。なお、外側本体部材２１は、外観デザイン性を考慮して自由に変更してもよく、例えば、第１凸面部２４を形成せずに平面にしてもよい。
【００３０】
外側回転軸２２は、図１に示すように、外側本体部材２１を上下に貫通するように設置され、図示しない取付プレート及びボルトで外側本体部材２１に固定されている。外側回転軸２２は、上端及び下端が上下の横枠１２に対し鉛直軸周りに回転可能な状態で取り付けられている。このような構成により、外側回転軸２２の回転に伴って外側本体部材２１が回転するので、外側羽板２０の配置角度を調節できる。外側回転軸２２は、横枠１２の内部に設けられた回転手段６０に機械的に連結されている（図４参照）。すべての外側羽板２０は、回転手段６０によって同じ角度だけ回転する。また、すべての外側羽板２０は、図２に示すように、回転中心（外側回転軸２２）が直交方向Ｙに沿う同一直線上に位置するように並設されている。なお、外側羽板２０の配置角度を調節できない固定式にしてもよい。
【００３１】
＜内側羽板＞
内側羽板３０は、図１に示すように、上下の横枠１２の間に鉛直に配置され、例えばアルミニウム合金などで形成された金属製の部材である。内側羽板３０は、直交方向Ｙに沿って所定間隔を空けて並設されている。内側羽板３０は、図２に示すように、外側羽板２０よりも建物Ｂ側に配置されるとともに、外側羽板２０に対し直交方向Ｙに所定間隔オフセットして配置されている。内側羽板３０は、中空四角柱状の内側本体部材３１と、内側本体部材３１の中心に設けられた内側回転軸３２と、を有している。なお、内側羽板３０は、例えば、樹脂製や木製でもよい。
【００３２】
内側本体部材３１の外側羽板２０に対面する側には、円弧状の第２凹面部３３が形成されている。第２凹面部３３は、外側羽板２０から遠ざかる方向に向かって凹状となるように湾曲形成されている。第２凹面部３３には、例えばマット反射板などが取り付けられ、拡散反射面が形成されている。本実施形態では、第２凹面部３３は、主として太陽光を第１凹面部２３に向かって反射させる機能を有している。また、第１凹面部２３は、主として第２凹面部３３によって反射された太陽光を窓開口部Ｂ１に向かって反射させる機能を有している。
【００３３】
内側本体部材３１の中心を挟んで第１凹面部２３と反対側には、円弧状の第２凸面部３４が形成されている。第２凸面部３４は、外側羽板２０から遠ざかる方向に向かって凸状となるように湾曲形成されている。なお、内側本体部材３１は、外観デザイン性を考慮して自由に変更してもよく、例えば、第２凸面部３４を形成せずに平面にしてもよい。
【００３４】
内側回転軸３２は、図１に示すように、内側本体部材３１を上下に貫通するように設置され、図示しない取付プレート及びボルトで内側本体部材３１に固定されている。内側回転軸３２は、上端及び下端が上下の横枠１２に対し鉛直軸周りに回転可能な状態で取り付けられている。このような構成により、内側回転軸３２の回転に伴って内側本体部材３１が回転するので、内側羽板３０の配置角度を調節できる。内側回転軸３２は、枠１０の内部に設けられた回転手段６０に機械的に連結されている（図４参照）。すべての内側羽板３０は、回転手段６０によって同じ角度だけ回転する。また、すべての内側羽板３０は、図２に示すように、回転中心（内側回転軸３２）が直交方向Ｙに沿う同一直線上に位置するように並設されている。なお、内側羽板３０の配置角度を調節できない固定式にしてもよい。
【００３５】
図３は、実施形態に係る外側羽板及び内側羽板を示す平面図である。図４は、実施形態に係る外側羽板と内側羽板と回転手段とを示す平面図である。本実施形態では、図３，図４の状態を縦ルーバー１の基準位置として以下の説明を進めることとする。
図３に示すように、外側羽板２０の中心Ｃａを通る直交方向Ｙに沿う中心線Ｃａ１と、内側羽板３０の中心Ｃｂを通る直交方向Ｙに沿う中心線Ｃｂ１は、互いに平行となっているとともに、内外方向Ｘに所定間隔オフセットしている。また、第１凹面部２３の両端を結ぶ線Ｌａ２と平行であって、かつ、中心Ｃａを通る外側基準線Ｌａ１は、中心線Ｃａ１と一致している。つまり、外側羽板２０の配置角度が零となっている。さらに、第２凹面部３３の両端を結ぶ線Ｌｂ２と平行であって、かつ、中心Ｃｂを通る内側基準線Ｌｂ１は、中心線Ｃｂ１に対し所定の角度θ（例えばθ＝１５°）だけ傾斜している。つまり、内側羽板３０の配置角度は、外側羽板２０の配置角度よりも角度θ分だけ傾斜しており、外側羽板２０の配置角度と異なるように設定されている。換言すると、内側羽板３０は、外側羽板２０寄りの端部（平面視にて長手方向一端）が窓開口部Ｂ１に近付くように傾斜している。
【００３６】
このような構成により、図４に示すように、外側羽板２０と内側羽板３０との内外方向Ｘにおける間隔Ｇ１は、外側羽板２０と内側羽板３０を平行に配置した場合の外側羽板２０と内側羽板３０との内外方向Ｘにおける間隔Ｇ２よりも大きくなる。そのため、本実施形態によれば、窓開口部Ｂ１からの視界性を向上させることができる。ちなみに、角度θは、自由に設定してよいが、例えば０°を超えて２０°以下の範囲内に設定されるのが好ましい。また、図３中の回転軌跡Ｌａ３，Ｌｂ３で示すように、外側羽板２０と内側羽板３０は、互いに接触しない位置に設けられている。
【００３７】
＜回転手段＞
図４に示すように、回転手段６０は、外側羽板２０と内側羽板３０とを回転させる装置である。回転手段６０は、外側羽板２０の外側回転軸２２に連結された第１ホイールギア６１と、第１ホイールギア６１に噛合する第１ウォームギア６２と、内側羽板３０の内側回転軸３２に連結された第２ホイールギア６３と、第２ホイールギア６３に噛合する第２ウォームギア６４と、第１ウォームギア６２及び第２ウォームギア６４を連結するシャフト６５と、シャフト６５を回転させるサーボモータ６６と、サーボモータ６６を制御する制御部６７と、を主に有している。
【００３８】
制御部６７は、予め記憶された建物Ｂの位置座標データと日付時刻データから計算した日照角度に対して外側羽板２０の第１凸面部２４が直交するように、サーボモータ６６を制御する装置である。これにより、第１凸面部２４に設けられた太陽光発電素子４０の発電効率が向上する。制御部６７は、例えば汎用のコンピュータ装置に所定のプログラムを実行させることで実現される。本実施形態では、回転手段６０は、すべての外側羽板２０及び内側羽板３０が同時に同じ角度だけ回転するように、第１ホイールギア６１と第１ウォームギア６２のギア比と、第２ホイールギア６３と第２ウォームギア６４のギア比とが設定されている。
【００３９】
なお、回転手段６０は、このような自動制御装置に限定されるものではなく、例えば手動の回転レバーでシャフト６５を回転させることで、外側羽板２０と内側羽板３０とを回転させるようにしてもよい。また、他の駆動形式で、外側羽板２０と内側羽板３０とを回転させるようにしてもよい。さらに、外側羽板２０と内側羽板３０とを個別に回転させるようにしてもよい。
【００４０】
本発明の実施形態に係る縦ルーバー１は、基本的に以上のように構成されるものであり、次に、図５乃至図１０を参照して、その動作について説明する。なお、以下の説明では、建物Ｂの南面の窓開口部Ｂ１に縦ルーバー１を設置した場合を例にとって説明する。また、外側羽板２０（内側羽板３０）の角度は、中心線Ｃａ１（Ｃｂ１）に対し反時計回りに回転させた場合をプラスとし、時計回りに回転させた場合をマイナスとする。さらに、図５乃至図１０中の符号「Ｚ」は、太陽光の入射方向を示す。
【００４１】
図５乃至図１０に示すように、制御部６７は、予め記憶された建物Ｂの位置座標データと日付時刻データから計算した日照角度（太陽光の入射方向Ｚ）に対して外側羽板２０の第１凸面部２４が直交するようにサーボモータ６６を回転させる。
【００４２】
図５に示すように、朝は太陽が東にあり、太陽光が窓開口部Ｂ１に対し略平行に近い角度で入射するため、外側羽板２０を中心線Ｃａ１から角度θａ１（例えばθａ１＝７５°）だけ回転させ、第１凸面部２４を入射方向Ｚに直交させる。このように外側羽板２０を回転させると、内側羽板３０が中心線Ｃｂ１から角度θｂ１（例えばθｂ１＝９０°）だけ傾斜し、入射方向Ｚに対し外側羽板２０の裏側に位置する。このとき、外側羽板２０と内側羽板３０の位相差（すなわちθｂ１−θａ１）は１５°である。これにより、第１凸面部２４に設置された太陽光発電素子４０のみに太陽光が当たるため、太陽光発電を行えるとともに、採光量を抑えることができる。
【００４３】
続いて、図６に示すように、朝から昼へ移行するにつれて、太陽は東から南へ移動するので、太陽の動きに合わせて、外側羽板２０及び内側羽板３０を回転させる。具体的には、外側羽板２０を中心線Ｃａ１から角度θａ２（例えばθａ２＝４５°）だけ回転させ、第１凸面部２４を入射方向Ｚに直交させる。このように外側羽板２０を回転させると、内側羽板３０が中心線Ｃｂ１から角度θｂ２（例えばθｂ２＝６０°）だけ傾斜し、第２凹面部３３の平面視にて長手方向一端３３ａ側に太陽光が当たる。このとき、外側羽板２０と内側羽板３０の位相差（すなわちθｂ２−θａ２）は１５°に保たれている。第２凹面部３３に当たった太陽光は、外側羽板２０の第１凹面部２３に向かって反射した後、第１凹面部２３から窓開口部Ｂ１に向かってさらに反射する。これにより、太陽光発電を行えるとともに、直射日光を遮光しつつ反射光を室内へ採り込むことができる。
【００４４】
図７に示すように、太陽が東から南へさらに移動したとき、外側羽板２０を中心線Ｃａ１から角度θａ３（例えばθａ３＝３０°）だけ回転させ、第１凸面部２４を入射方向Ｚに直交させる。このように外側羽板２０を回転させると、内側羽板３０が中心線Ｃｂ１から角度θｂ３（例えばθｂ３＝４５°）だけ傾斜し、第２凹面部３３の長手方向一端３３ａから中央に亘って太陽光が当たる。このときも、外側羽板２０と内側羽板３０の位相差（すなわちθｂ３−θａ３）は１５°に保たれている（以下同様）。第２凹面部３３に当たった太陽光は、外側羽板２０の第１凹面部２３に向かって反射した後、第１凹面部２３から窓開口部Ｂ１に向かってさらに反射する。これにより、太陽光発電を行えるとともに、直射日光を遮光しつつ反射光を室内へ採り込むことができる。
【００４５】
図８に示すように、太陽が東から南へさらに移動したとき、外側羽板２０を中心線Ｃａ１から角度θａ４（例えばθａ３＝１５°）だけ回転させ、第１凸面部２４を入射方向Ｚに直交させる。このように外側羽板２０を回転させると、内側羽板３０が中心線Ｃｂ１から角度θｂ４（例えばθｂ４＝３０°）だけ傾斜し、第２凹面部３３の長手方向一端３３ａから長手方向他端３３ｂ側に亘って太陽光が当たる。これにより、太陽光発電を行えるとともに、第２凹面部３３の長手方向一端３３ａ側に当たった太陽光を室外に向かって跳ね返すように反射させることができる。このとき、内側羽板３０の配置角度が外側羽板２０の配置角度よりもθ分だけ傾斜しているとともに（図３参照）、内側羽板３０が第２凹面部３３を有しているので、第２凹面部３３の長手方向他端３３ｂ側に当たった太陽光を第１凹面部２３に向かって反射させることができる。この結果、第１凹面部２３に当たった反射光を窓開口部Ｂ１に向かって導くことができる。そのため、直射日光を遮光しつつ反射光を室内へ採り込むことができる。
【００４６】
続いて、図９に示すように、太陽が南に位置したとき、太陽光が窓開口部Ｂ１に対し直交する方向から入射するため、外側羽板２０を中心線Ｃａ１に対し平行（角度θａ５＝０°）となるように回転させ、第１凸面部２４を入射方向Ｚに直交させる。このように外側羽板２０を回転させると、内側羽板３０が中心線Ｃｂ１から角度θｂ５（例えばθｂ５＝１５°）だけ傾斜し、第２凹面部３３の全体に亘って太陽光が当たる。これにより、太陽光発電を行えるとともに、第２凹面部３３の長手方向一端３３ａ側に当たった太陽光を室外に向かって跳ね返すように反射させることができる。このとき、内側羽板３０の配置角度が外側羽板２０の配置角度よりもθ分だけ傾斜しているとともに（図３参照）、内側羽板３０が第２凹面部３３を有し、更には外側羽板２０及び内側羽板３０の長手方向一端同士（水平方向一端同士）は、内外方向Ｘで重なるので、第２凹面部３３の長手方向他端３３ｂ側に当たった太陽光を第１凹面部２３に向かって反射させることができる。この結果、第１凹面部２３に当たった反射光を窓開口部Ｂ１に向かって導くことができる。また、内側羽板３０の配置角度が外側羽板２０の配置角度よりもθ分だけ傾斜しているので、外側羽板２０と内側羽板３０を平行に配置した場合に比べ、外側羽板２０と内側羽板３０との内外方向Ｘにおける間隔Ｇ１を大きくできる。そのため、直射日光を遮光して反射光を室内へ採り込みつつ、窓開口部Ｂ１からの視界性を向上させることができる。
【００４７】
続いて、図１０に示すように、昼から夕方へ移行するにつれて、太陽は南から西へ移動するので、太陽の動きに合わせて、外側羽板２０及び内側羽板３０を回転させる。具体的には、外側羽板２０を中心線Ｃａ１から角度θａ６（例えばθａ６＝−１５°）だけ回転させ、第１凸面部２４を入射方向Ｚに直交させる。このように外側羽板２０を回転させると、内側羽板３０が中心線Ｃｂ１に対し平行（θｂ６＝０°）に位置し、第２凹面部３３の全体に亘って太陽光が当たる。これにより、太陽光発電を行えるとともに、第２凹面部３３に当たった太陽光を室外に向かって跳ね返すように反射させることができる。このとき、内側羽板３０の配置角度が外側羽板２０の配置角度よりもθ分だけ傾斜しているので、外側羽板２０と内側羽板３０を平行に配置した場合に比べ、外側羽板２０と右隣の内側羽板３０との内外方向Ｘにおける間隔Ｇ３を大きくできる。そのため、直射日光を遮光しつつ、窓開口部Ｂ１からの視界性を向上させることができる。
【００４８】
なお、縦ルーバー１は、複数段階に切り替え可能に構成されてもよく、例えばハンドルなどの操作子を操作することで、図６の状態と図９の状態の２段階に切り替え可能に構成されてもよい。また、縦ルーバー１は、太陽の移動に応じて、外側羽板２０の外面が入射方向Ｚに直交するように自動で回転制御されてもよい。このようにすると、発電効率を上げることができる。
【００４９】
以上説明した本実施形態によれば、外側羽板２０に対する内側羽板３０の配置角度を調節することで、内側羽板３０の第２凹面部３３に当たった太陽光を外側羽板２０の第１凹面部２３に向かって反射させ、第１凹面部２３に当たった反射光を窓開口部Ｂ１に向かって導くことができる。したがって、窓開口部Ｂ１から室内へ反射光を採り込むことができるので、適度な明るさを確保しつつ、眩しさを軽減できる。
また、本実施形態によれば、外側羽板２０を窓開口部Ｂ１に対し平行に配置した場合には、外側羽板２０に対する内側羽板３０の配置角度を調節することで（つまり内側羽板３０の外側羽板２０寄りの端部が窓開口部Ｂ１に近付くように傾斜させることで）、外側羽板２０と内側羽板３０との内外方向Ｘにおける間隔Ｇ１を従来よりも大きくして、窓開口部Ｂ１からの視界性を向上させることができる。
【００５０】
本実施形態によれば、第１凹面部２３及び第２凹面部３３には、拡散反射面が形成されているので、第１凹面部２３及び第２凹面部３３に当たった太陽光が拡散反射する。これにより、太陽光が窓開口部Ｂ１に向かって均一に広がるため、室内を均一に明るくできるとともに、眩しさを軽減できる。
【００５１】
本実施形態によれば、外側羽板２０及び内側羽板３０は、鉛直軸周りに回転可能であるので、地域、季節、時間帯などに応じて、外側羽板２０及び内側羽板３０の配置角度を任意に設定することが可能となり、採光量（遮光量）を調節できる。
【００５２】
本実施形態によれば、回転手段６０は、外側羽板２０及び内側羽板３０を位相差を保ちながら同期して回転させるので、外側羽板２０及び内側羽板３０は、異なる配置角度を保持したまま回転することができる。
【００５３】
本実施形態によれば、外側羽板２０が窓開口部Ｂ１に対し平行に配置された状態で、外側羽板２０及び内側羽板３０の長手方向一端同士は、内外方向Ｘで重なるので、内側羽板３０の長手方向一端が窓開口部Ｂ１に近付くように傾斜させると、内側羽板３０の長手方向一端に当たった太陽光を外側羽板２０の第１凹面部２３に向かって反射させることが可能となり、ひいては、窓開口部Ｂ１から室内へ反射光を採り込むことができる。
【００５４】
本実施形態によれば、外側羽板２０の第１凸面部２４には、太陽光発電素子４０が設置されているので、遮光する太陽光を発電用エネルギーとして有効利用できる。
【００５５】
本実施形態によれば、太陽光の入射方向Ｚに対する外側羽板２０及び内側羽板３０の配置角度を調節することで、直射日光を遮ったり、反射光を採り入れたりすることができる。そして、直射日光を遮ることで、夏場に室内温度の上昇を抑制して空調設備の電力使用量を抑制することができる。また、反射光を採り入れることで、冬場に室内温度の低下を抑制して空調設備の電力使用量を抑制することができる。したがって、省エネルギーに寄与することができる。
【００５６】
以上、本発明の実施形態について図面を参照して詳細に説明したが、本発明はこれに限定されるものではなく、発明の主旨を逸脱しない範囲で適宜変更可能である。
【００５７】
本実施形態では、第１凹面部２３及び第２凹面部３３が円弧状に形成されたが、本発明はこれに限定されるものではない。例えば、図１１に示すように、第１凹面部２３は、外側本体部材２１の中心を挟んで対称に設けられた一対の辺２３ａ，２３ａを備え、くの字（Ｖ字状）を呈する凹面に形成されてもよい。第２凹面部３３も同様に、内側本体部材３１の中心を挟んで対称に設けられた一対の辺３３ｃ，３３ｃを備え、くの字を呈する凹面に形成されてもよい。また、図示省略するが、第１凹面部２３及び第２凹面部３３は、外側本体部材２１や内側本体部材３１の中心を挟んで対称に設けられた複数辺（３辺以上）を備える凹面に形成されてもよい。
【符号の説明】
【００５８】
Ｂ      建物
Ｂ１    窓開口部
１      縦ルーバー
１０    枠
２０    外側羽板
２１    外側本体部材
２２    外側回転軸
２３    第１凹面部
２４    第１凸面部
３０    内側羽板
３１    内側本体部材
３２    内側回転軸
３３    第２凹面部
３４    第２凸面部
４０    太陽光発電素子
６０    回転手段
Ｘ      内外方向
Ｙ      直交方向
Ｚ      入射方向
【図１】
2013167151.tif 000003
【図２】
2013167151.tif 000004
【図３】
2013167151.tif 000005
【図４】
2013167151.tif 000006
【図５】
2013167151.tif 000007
【図６】
2013167151.tif 000008
【図７】
2013167151.tif 000009
【図８】
2013167151.tif 000010
【図９】
2013167151.tif 000011
【図１０】
2013167151.tif 000012
【図１１】
2013167151.tif 000013